(57)【要約】【課題】回転ブラシへの動力伝達の断続操作のための操作性を向上した電気掃除機を提供する。【解決手段】掃除機本体と、該掃除機本体に連結され、下面に開口する吸込口を有する吸込具本体と、該吸込口内に回転自在に配設された回転ブラシと、駆動源と、該駆動源から回転ブラシに動力を伝達する動力伝達系とを備えた電気掃除機。前記動力伝達系の動力伝達の断続を切り替える、シーソー型スイッチが、前記吸込具本体の上面に揺動自在に設けられている。【選択図】        図１
2004254939.tif 000002
【特許請求の範囲】
【請求項１】
掃除機本体と、該掃除機本体に連結され、下面に開口する吸込口を有する吸込具本体と、該吸込口内に回転自在に配設された回転ブラシと、駆動源と、該駆動源から回転ブラシに動力を伝達する動力伝達系とを備えた電気掃除機であって、
前記動力伝達系の動力伝達の断続を切り替える、シーソー型スイッチが、前記吸込具本体の上面に揺動自在に設けられてなる電気掃除機。
【請求項２】
前記シーソー型スイッチが、当該シーソー型スイッチの、吸込具本体の前方側の端縁が他方の端縁よりも常時高い位置になる範囲で揺動するように規制されてなる請求項１記載の電気掃除機。
【請求項３】
前記シーソー型スイッチが、吸込具本体の上面に設けられた受け部と該受け部の上部に設置されたスイッチカバーとのあいだに挟持された回転軸に回転自在に支持され、さらに前記シーソー型スイッチを所定の位置に保持するために付勢するねじりスプリングを備えてなる請求項１または２記載の電気掃除機。
【請求項４】
前記駆動源から前記回転ブラシに動力を伝達するベルト、および前記動力伝達の断続を切り替えるために前記ベルトを移動させる擦り板を備えてなる請求項１記載の電気掃除機。
【請求項５】
前記擦り板の先端には、前記ベルトを案内するための断面コの字状のガイド部が設けられてなる請求項４記載の電気掃除機。
【請求項６】
前記擦り板の側面にスリットが形成され、当該スリットに前記吸込具本体に固着されたガイド部材が挿入されてなる請求項４記載の電気掃除機。
【請求項７】
前記擦り板が合成樹脂で作製され、当該擦り板の先端に金属製のベルト受けが設けられてなる請求項４記載の電気掃除機。
【請求項８】
前記吸込具本体の上部内面に着脱自在に固定された台座部、該台座部に回転自在に支持されたブレーキシュー、該ブレーキシューを前記回転ブラシの外周面に押圧する方向へ付勢するねじりスプリングを有するブレーキ機構をさらに備えてなる請求項１記載の電気掃除機。
【発明の詳細な説明】
【０００１】
【発明の属する技術分野】
本発明は電気掃除機に関する。さらに詳しくは、回転ブラシへの動力伝達の断続操作のための操作性を向上した電気掃除機に関する。
【０００２】
【従来の技術】
従来より、掃除機本体の下部に吸込具本体が連結されたアップライト式の電気掃除機では、吸込具本体の吸込口内部に回転ブラシが回転自在に設けられ、電動送風機などの駆動源からベルトなどの動力伝達系を介して伝達される動力により回転ブラシを回転させる電気掃除機が種々提案されている（特許文献１参照）。
【０００３】
かかる特許文献１記載の電気掃除機では、回転ブラシへの動力伝達の断続操作を行なうために、吸込具本体の後面に操作ペダルが設けられている。回転ブラシへの動力伝達を遮断する場合、操作ペダルを足で踏むことにより、操作ベダルにリンク結合された擦り板がベルトを所定の方向へ付勢し、それによりベルトを駆動用プーリからフリープーリへ水平移動させることにより、回転ブラシへの回転力の動力伝達を遮断することができる。さらに、この状態から操作ペダルを蹴り上げると、ベルトがフリープーリから駆動用プーリへ復帰し、回転ブラシに回転力が伝達されるため、回転ブラシを回転させることができる。
【０００４】
【特許文献１】
特開２００２−２３８８１４号公報
【０００５】
【発明が解決しようとする課題】
前記特許文献１記載の電気掃除機では、吸込具本体の後面に設けられた操作ペダルの操作性がよくないという問題がある。たとえば、回転ブラシへの動力伝達を復帰させるために、操作ペダルを蹴り上げるときに、足元近くの操作ペダルを蹴り上げなければならず、使用性がわるかった。
【０００６】
本発明はかかる問題を解消するためになされたものであり、回転ブラシへの動力伝達の断続操作のための操作性を向上した電気掃除機を提供することを目的とする。
【０００７】
【課題を解決するための手段】
本発明の電気掃除機は、掃除機本体と、該掃除機本体に連結され、下面に開口する吸込口を有する吸込具本体と、該吸込口内に回転自在に配設された回転ブラシと、駆動源と、該駆動源から回転ブラシに動力を伝達する動力伝達系とを備えた電気掃除機であって、
前記動力伝達系の動力伝達の断続を切り替える、シーソー型スイッチが、前記吸込具本体の上面に揺動自在に設けられてなることを特徴とする。
【０００８】
前記シーソー型スイッチが、当該シーソー型スイッチの、吸込具本体の前方側の端縁が他方の端縁よりも常時高い位置になる範囲で揺動するように規制されてなるのが好ましい。
【０００９】
前記シーソー型スイッチが、吸込具本体の上面に設けられた受け部と該受け部の上部に設置されたスイッチカバーとのあいだに挟持された回転軸に回転自在に支持され、さらに前記シーソー型スイッチを所定の位置に保持するために付勢するねじりスプリングを備えてなるのが好ましい。
【００１０】
前記駆動源から前記回転ブラシに動力を伝達するベルト、および前記動力伝達の断続を切り替えるために前記ベルトを移動させる擦り板を備えてなるのが好ましい。
【００１１】
前記擦り板の先端には、前記ベルトを案内するための断面コの字状のガイド部が設けられてなるのが好ましい。
【００１２】
前記擦り板の側面にスリットが形成され、当該スリットに前記吸込具本体に固着されたガイド部材が挿入されてなるのが好ましい。
【００１３】
前記擦り板が合成樹脂で作製され、当該擦り板の先端に金属製のベルト受けが設けられてなるのが好ましい。
【００１４】
前記吸込具本体の上部内面に着脱自在に固定された台座部、該台座部に回転自在に支持されたブレーキシュー、該ブレーキシューを前記回転ブラシの外周面に押圧する方向へ付勢するねじりスプリングを有するブレーキ機構をさらに備えてなるのが好ましい。
【００１５】
【発明の実施の形態】
つぎに図面を参照しながら本発明の電気掃除機を詳細に説明する。図１は本発明の電気掃除機の一実施の形態を示す側面図、図２は図１の電気掃除機の正面図、図３は図１の電気掃除機の底面図、図４は図１の吸込具本体の回転ブラシ駆動時の状態を示す断面説明図、図５は図１の吸込具本体の回転ブラシ駆動時の状態を示す吸込具本体内部を下方から見た図、図６は図１の吸込具本体の回転ブラシ停止時の状態を示す断面説明図、図７は図１の吸込具本体の回転ブラシ停止時の状態を示す吸込具本体内部を下方から見た図、図８は図１の吸込具本体内部の擦り板を固定するための座付きネジを示す要部拡大断面図、図９は本発明の電気掃除機の他の実施の形態を示す合成樹脂製の擦り板を内蔵した吸込具本体の断面説明図、図１０は図９の吸込具本体内部を下方から見た図、図１１は図９の合成樹脂製の擦り板の斜視説明図、図１２は図９の吸込具本体内部における擦り板のボス部付近を示す要部拡大断面図、図１３は本発明の電気掃除機のさらに他の実施の形態であって、回転ブラシ用ブレーキ機構が設けられ、当該ブレーキ機構が回転ブラシを制動している状態の吸込具本体内部を下方から見た図、図１４は図１３の吸込具本体の断面説明図、図１５は図１３の吸込具本体内部のブレーキ機構の要部拡大斜視図、図１６は図１３のブレーキ機構が制動を解除した状態の吸込具本体内部を下方から見た図、図１７は図１６の吸込具本体の断面説明図、図１８は図１６の吸込具本体内部のブレーキ機構の要部拡大斜視図、図１９は図９のシーソー型スイッチのカバーを取り付ける途中の状態を示す断面説明図、図２０は図１のダストボックスが載置される掃除機本体の仕切り板の拡大斜視図、図２１は図１のダストボックスが仕切り板に載置されている部分の拡大断面図、図２２は図１の電気掃除機のコードフックに電源コードが収納された状態を示す斜視説明図、図２３は図１の電気掃除機のフルフラット状態を示す説明図、図２４は図３の吸込具本体のケースアッパーとボトムプレートとの連結部分のうち、ベルト後方に位置する連結部分を示す断面説明図、図２５は図３の吸込具本体のケースアッパーとボトムプレートとの連結部分のうち、エアインレット下方に位置する連結部分を示す断面説明図および図２６は図３の吸込具本体のケースアッパーとボトムプレートとの連結部分のうち、掃除機本体に対向する縦側面に位置する連結部分を示す断面説明図である。
【００１６】
図１〜５に示されるアップライト式の電気掃除機は、吸込具本体１と、掃除機本体２と、グリップ部３と、グリップ部３に固着された先端側パイプ（図示せず）と、可撓性ホース５と、回動管６とから構成されている。先端側パイプの先端部は、掃除機本体２の筒状の先端側パイプ支持部７に挿入されて着脱自在に支持されている。しかも、グリップ部３は、グリップ部３の後方側に配設される可撓性ホース５を介して前記掃除機本体２の前面側上部にあるダストボックス８に接続されている。グリップ部３は、中空筒体からなり、上端には取っ手が形成されている。このグリップ部３を介して先端側パイプおよび可撓性ホース５が連結されている。また、グリップ部３は、前記先端側パイプ支持部７に対して、着脱自在に連結されている。
【００１７】
掃除機本体２には、電動送風機（図示せず）が内蔵され、該掃除機本体２の上部にはダストボックス８が設置されている。掃除機本体２の下部には、回転ブラシ９を備えた吸込具本体１が前記掃除機本体２に設けられた支点（図示せず）により前後方向に回動自在に設置されている。
【００１８】
図３〜５に示されるように、前記掃除機本体２に内蔵された電動送風機から突出した出力軸１０の回転駆動力は、ベルト１１を介して回転ブラシ９に伝達される。
【００１９】
回転ブラシ９は、吸込具本体１の下面前部に形成された吸込口１ａ内部に回転自在に支持されている。なお、回転ブラシ９は、たとえば両端が吸込具本体１に固定されたシャフトに対して回転自在に支持されてもよいし、または回転ブラシ９に固定されたシャフトが吸込具本体１の両側端に回転自在に支持されてもよく、本発明ではとくに限定されるものではない。
【００２０】
回転ブラシ９の外周面には、合成樹脂製の毛１５がブラシの回転軸のまわりに螺旋状に植毛されている。回転ブラシ９の一方の端部には、ベルト駆動用のプーリ１６が固着されている。また、ベルト１１の位置を切り替えることにより回転ブラシ９の回転を停止させるために、フリープーリ２０が前記シャフト（図示せず）に回転自在に取り付けられている。
【００２１】
本実施の形態では、ベルト１１による動力伝達の断続を切り替えるために、図４〜５に示されるようなベルト掛替機構を備えている。このベルト掛替機構は、図４〜５に示されるように、吸込具本体１の上面に設けられたシーソー型スイッチ２８と、該シーソー型スイッチ２８にリンク結合されたリンク部材２５と、該リンク部材２５にリンク結合され、水平方向に回転自在な擦り板２６とから構成されている。
【００２２】
本実施の形態の擦り板２６は、スチールなどの金属薄板をプレス加工するなどして作製されているが、本発明はこれに限定されるものではなく、後述するように合成樹脂で作製してもよい。
【００２３】
また、擦り板２６の先端には、断面コの字状のガイド部２６ａが設けられており、このガイド部２６ａにより、ベルト１１を水平方向に案内することができる。
【００２４】
シーソー型スイッチ２８は、図４および図６に示されるように、吸込具本体１の上面に前後方向に揺動自在に取り付けられている。具体的には、シーソー型スイッチ２８は、吸込具本体１のケースアッパの上面に設けられた受け部１ｂと該受け部１ｂの上部に設置されたスイッチカバー２２とのあいだに挟持された回転軸２９に回転自在に支持されている。さらに、シーソー型スイッチ２８を所定の回転ブラシ駆動位置（図４参照）および回転ブラシ停止位置（図６参照）のいずれか一方に選択的に保持するために、シーソー型スイッチ２８を付勢するねじりスプリング２１を備えている。
【００２５】
したがって、シーソー型スイッチ２８の取付けを行なう場合、まず、スイッチ２８にリンク部材２５および擦り板２６を連結し、ついで、図８に示されるように、ねじりスプリング２１の一方の端部２１ａをシーソー型スイッチ２８の下部に形成された係合孔２８ｅに係合する。そののち、シーソー型スイッチ２８を吸込具本体１のケースアッパの上面の受け部１ｂに隣接する開口（図示せず）を通して上方に突出させ、ついで、ねじりスプリング２１の他方の端部２１ｂを吸込具本体１のケースアッパーに形成された係合孔１ｃに係合する。そののち、回転軸２９をシーソー型スイッチ２８の軸受孔（図示せず）に挿通させたのち、回転軸２９を受け部１ｂで支持した状態で、ケースアッパーの上方よりスイッチカバー２２を取り付ける。
【００２６】
スイッチカバー２２は、図１９に示されるように、前方側端部２２ａを吸込具本体１の係合縁１ｄに係合し、そののち、吸込具本体１のねじ孔１ｅおよびスイッチカバー２２のねじ孔２２ｂを合わせてネジ２３によってスイッチカバー２２を固定すればよい。
【００２７】
このとき、シーソー型スイッチ２８を下方へ押えながらスイッチカバー２２を取り付けることにより、ねじりスプリング２１はたわめられてシーソー型スイッチ２８を付勢するための初期圧力が付加される。
【００２８】
以上のように、ねじりスプリング２１の付勢力によって２つの所定位置に保持されるクリック感のよいシーソー型スイッチ２８を容易に取り付けることができ、実用的な価値が高い。
【００２９】
図４〜５に示されるように、擦り板２６の側面に形成されたスリット２６ｂに、吸込具本体１のケースアッパー内面に固着された、薄い舌片状のぐらつき防止ガイド３１が挿入されている。そのため、ぐらつき防止ガイド３１が擦り板２６の先端付近を支持することによって、擦り板２６のぐらつきは防止される。
【００３０】
ベルト１１を駆動用プーリ１６からフリープーリ２０に掛け替えて回転ブラシ９への動力伝達を遮断する場合、図４〜５に示されるように、吸込具本体１の上面に設けられたシーソー型スイッチ２８の一方の押圧面２８ａを足で踏んで操作することにより、リンク部材２５が擦り板２６を後方に引き操作し、擦り板２６が回転軸２７を中心に図５における反時計方向へ水平回転させることにより、擦り板２６の先端に設けられた断面コの字状のガイド部２６ａが駆動用プーリ１６からフリープーリ２０へベルト１１を掛け替え、その結果、回転ブラシ９への動力伝達を遮断することができる。
【００３１】
反対に、ベルト１１をフリープーリ２０から駆動用プーリ１６に掛け替えて回転ブラシ９への動力伝達を復帰する場合、図６〜７に示されるように、吸込具本体１の上面に設けられたシーソー型スイッチ２８の他方の押圧面２８ｂを足で踏んで操作することにより、リンク部材２５が擦り板２６を前方に押し操作し、擦り板２６が回転軸２７を中心に図７における時計方向へ水平回転させることにより、擦り板２６先端のガイド部２６ａがフリープーリ２０から駆動用プーリ１６へベルト１１を掛け替え、その結果、回転ブラシ９への動力伝達を再開することができる。
【００３２】
以上のように構成された本実施の形態のアップライト型電気掃除機のシーソー型スイッチ２８は、上方から足で踏む動作のみで、回転ブラシ９の駆動と停止を容易に制御することができ、その結果、従来の操作ペダルなどの操作手段と比較して操作性が非常によい。しかも、シーソー型スイッチ２８は、吸込具本体１の上面に配置されているため、足元近くにまで降りる従来の操作ペダルと比較して、足で操作しやすい高さにある。
【００３３】
また、シーソー型スイッチ２８は、その吸込具本体１の前方側の端縁２８ｃが他方の端縁２８ｄよりも常時高い位置になる範囲で揺動するように規制されている。たとえば、図６に示されるように、回転ブラシ９への動力を遮断した状態のときのシーソー型スイッチ２８の位置において、シーソー型スイッチ２８の吸込具本体１の前方側の端縁２８ｃが他方の端縁２８ｄよりも高い位置になっている。より具体的には、図６において、回転ブラシ９の最下端の位置Ｂから吸込具本体１の前方側の端縁２８ｃまでの高さＨ１は、１３０〜１４０ｍｍ程度、前記位置Ｂから他方の端縁２８ｄまでの高さＨ２は、１１０〜１２０ｍｍ程度であり、高低差Ｈ１―Ｈ２は、１０〜３０ｍｍ程度になる。このように、シーソー型スイッチ２８の２つの端縁について、吸込具本体１の前方側の端縁を常時高くなるように設定することにより、操作性がよくなる（操作者にとって、遠方にある端縁を手前側の端縁よりも低い位置まで足で押しつけるという動作はしにくい）とともに、誤動作を防ぐ（遠方側端縁が低い位置になると、操作後に足を離す際に誤って手前の高い端縁を押してしまうことが考えられる）という効果が得られる。
【００３４】
また、本実施の形態では、擦り板２６が回転中心となる回転軸２７によって位置決めされ、図８に示す矢印Ａの方向についての擦り板２６のガタは、座付きネジ３０によって規制されているため、擦り板２６のガタツキは生じない。また、擦り板２６のガタツキが生じても、支点となる回転軸２７が垂直方向に延びるように吸込具本体１のケースアッパ内側に固着されているため、擦り板２６は矢印Ａ方向にガタつくようになっている。そのため、ベルト１１の切替え性能に影響を与えず、ベルト１１の切替え動作を確実に行なうことができる。
【００３５】
しかも、本実施の形態のシーソー型スイッチ２８を用いたベルト掛替機構は、シーソー型スイッチ２８の上下方向のストロークが小さいため、従来の操作ペダルを用いたベルト掛替機構と比較して、全高を低く抑えることができ、掃除機の高さも低く抑えることができる。
【００３６】
また、本発明では、吸込具本体１の上面にシーソー型スイッチ２８を設け、該スイッチに連結されるリンク機構を用いたことにより、擦り板２６の長さを短くすることができる。とくに、擦り板２６の回転軸２７が前記出力軸１０よりも前方に位置しているため、擦り板２６をさらに短くすることができる。
【００３７】
また、本発明の電気掃除機の他の実施の形態として、図９〜１２に示されるものは、擦り板３３が、ポリカーボネート樹脂などの合成樹脂で作製され、その先端のベルト１１に接触する部分にスチールなどの金属製のベルト受け３４が設けられている。なお、その他の構成は図１〜８に示される電気掃除機と共通しており、図９〜１２において図１〜８で示された符号と同じ符号が付された部分は、図１〜８と共通している。
【００３８】
合成樹脂製の擦り板３３は、図１１に示されるように中空の薄い箱形を呈しており、根元側端部には、回転軸２７が挿入されるボス部３３ａを備えている。擦り板３３の先端部には、所定距離だけ離間した一対のガイド部３３ｂが設けられ、そのガイド部３３ｂにはそれぞれ、ネジ３５によって金属製のベルト受け３４が取り付けられている。
【００３９】
また、前述の実施の形態と同様に、擦り板３３は回転中心となる回転軸２７によって位置決めされ、図１２に示される矢印Ａ方向のガタを座付きネジ３０で規制すれば、ガタツキの発生を防止することができる。
【００４０】
図９〜１２に示されるように合成樹脂製の擦り板３３を採用したことにより、ボス部３３ａを所望の長さになるように射出成形などで容易に擦り板３３と一体成形することができ、金属製擦り板のように別部品を溶接するコストや手間などが不要になる。
【００４１】
しかも、合成樹脂製の擦り板３３の先端には、金属製のベルト受け３４を備えているため、ベルト１１を掛け替える際の摩擦熱で擦り板３３が溶けるおそれがない。また、もしベルト１１が金属製のベルト受け３４に擦れた状態が継続しても、発煙したり、発火するおそれもない。さらに、ベルト１１を案内する擦り板３３の先端部は、金属製擦り板と比較して剛性が弱いが、金属製のベルト受け３４が取り付けられているため、擦り板３３の先端部の剛性を向上させることができる。
【００４２】
つぎに、本発明の電気掃除機のさらに他の実施の形態として、図１３〜１８に示されるものは、吸込具本体１内部には、回転ブラシ９の回転を停止させるためのブレーキ機構として、組立て容易で、かつブレーキシューの交換が容易なブレーキ機構４１を備えている。なお、その他の構成は図１〜８に示される電気掃除機と共通しており、図１３〜１８において図１〜８で示された符号と同じ符号が付された部分は、図１〜８と共通している。
【００４３】
すなわち、ブレーキ機構４１は、吸込具本体１の上部内面に着脱自在に固定された台座部４２と、該台座部４２に回転自在に支持されたブレーキシュー４３と、ブレーキシュー４３を回転ブラシ９の外周面に押圧する方向へ付勢するねじりスプリング４４と、ブレーキシュー４３に連結され、前記擦り板２６に接触し得るテーパリブ４５とから構成されている。
【００４４】
台座部４２は、ネジ４６によって吸込具本体１のケースアッパの内面に着脱自在に固定されているため、ネジ４６を取り外すだけで、ブレーキシュー４３の交換を容易に行なうことができる。
【００４５】
ブレーキシュー４３は、台座部４２に両端支持された回転軸４７まわりに揺動するブレーキシューアーム４８の先端に固定されている。なお、ねじりスプリング４４は、回転軸４７の端部に係合されている。
【００４６】
テーパーリブ４５は、ブレーキシューアーム４８の根元に連結する板状の操作部材４９に突設されている。操作部材４９も前記回転軸４７まわりに揺動する。
【００４７】
図１６〜１８に示される回転ブラシ駆動時において、擦り板２６が当該テーパーリブ４５のテーパ面４５ａに接触して、テーパーリブ４５を吸込具本体１のケースアッパ内面に押し付ける方向に付勢する。
【００４８】
以上のように構成されたブレーキ機構４１は、図１３〜１５に示される回転ブラシ９の停止時には、ねじりスプリング４４の付勢力により、ブレーキシュー４３が回転ブラシ９の外周面に押圧されて回転ブラシ９を強制的に制動することができ、回転ブラシ９が空転するのを防止することができる。
【００４９】
一方、図１６〜１８に示される回転ブラシ９の駆動時には、擦り板２６がテーパーリブ４５に接触し、ブレーキシュー４３をねじりスプリング４４の付勢力に抗して回転ブラシ９の外周面から離脱させることができる。
【００５０】
また、ブレーキシュー４３が摩耗したときは、吸込具本体１の底板を取り外し、前記ベルト１１を取り外したのち、ネジ４６を外せば、ブレーキシュー４３およびブレーキシューユニットを容易に交換することができ、サービス性がよい。
【００５１】
また、本実施の形態のアップライト型電気掃除機では、図２０〜２１に示されるように、ダストボックス８が載置される掃除機本体２の仕切り板５１に突起部５１ａが設けられている。それにより、ダストボックス８の底蓋５２が完全に閉まっていない状態でも、ダストボックス８を掃除機本体２に装着するときに、仕切り板５１の突起部５１ａがダストボックス８の底蓋５２を上方へ押し上げるため、底蓋５２は完全に奥まで閉まり、クランプ５３により確実に係止され、密閉が確保される。したがって、底蓋５２が完全に閉まっていないことによって生じる問題、たとえば掃除機の吸込性能が低下したり、またはダストボックス８を掃除機本体２から外したときに底蓋５２が不意に開いてダストボックス８内部のごみが周囲に飛散するなどの問題を解消することができる。
【００５２】
さらに、本実施の形態では、図２２〜２３に示されるように、電源コード６１を収納するための少なくとも２個のコードフック６２および６３を掃除機本体２の側面に配置している。それにより、図２３に示されるように、家具やベッドの下の狭い空間を掃除するために、掃除機本体２を床面に沿うまで寝かした状態、いわゆるフルフラット状態にしても、コードフック６２および６３が床面に干渉しない。したがって、手元のグリップ部３を低く下降させることができ、家具やベッドの下のより狭い空間を清掃することができる。しかも、コードフック６２、６３が床面を傷付けるおそれもない。
【００５３】
さらに、本実施の形態では、図２４〜２６に示されるように、壁などに衝突したときに受ける衝撃によって吸込具本体１のケースアッパー８１からボトムプレート８２が脱落するのを防止する構造を採用している。
【００５４】
一般的に、吸込具本体１は、回転ブラシ９の清掃やベルト１１の交換などを行なうために、ボトムプレート８２は容易にケースアッパー８１から容易に着脱できるような構造になっている。本実施の形態の場合、図３および図２４〜２５に示されるように、ベルト１１後方およびエアインレット９０の下方に位置するボトムプレート８２の爪８３、８４が、ケースアッパー８１の爪嵌合孔８５、８６に嵌合するようになっている。これらの爪と爪嵌合孔との嵌合は、外部からの衝撃で外れやすく、ボトムプレート８２が脱落するおそれがあるという問題がある。ボトムプレート８２が脱落すれば、清掃中に高速回転している回転ブラシ１１が露出するので危険である。
【００５５】
そこで、本実施の形態では、図３の底面図および図２６に示されるように、ケースアッパー８１の掃除機本体２に対向する縦側面には、切欠き８７が形成され、ボトムプレート８２の縦側面には、該切欠き８７に対応する形状の突起８８が突設されている。したがって、清掃作業中に吸込具本体１が壁などに衝突しても、そのとき生じる衝撃を切欠き８７と突起８８との嵌合部で受けることができるため、ボトムプレート８２がケースアッパー８１から脱落することを防止することができる。
【００５６】
さらに、図２４および前述の図５に示されるように、ケースアッパー８１内部の後端付近に断面コの字状のリブ８９が設けられているため、ボトムプレート８２の爪８３を含む後面が、壁面との衝突によって生じる衝撃を受けて変形するのを防止することができる。
【００５７】
【発明の効果】
本発明によれば、吸込具本体の上面に設けられたシーソー型スイッチを足で踏むだけで、回転ブラシへの動力伝達の断続の操作を行なうことができるため、操作性が大幅に向上する。
【図面の簡単な説明】
【図１】本発明の電気掃除機の一実施の形態を示す側面図である。
【図２】図１の電気掃除機の正面図である。
【図３】図１の電気掃除機の底面図である。
【図４】図１の吸込具本体の回転ブラシ駆動時の状態を示す断面説明図である。
【図５】図１の吸込具本体の回転ブラシ駆動時の状態を示す吸込具本体内部を下方から見た図である。
【図６】図１の吸込具本体の回転ブラシ停止時の状態を示す断面説明図である。
【図７】図１の吸込具本体の回転ブラシ停止時の状態を示す吸込具本体内部を下方から見た図である。
【図８】図１の吸込具本体内部の擦り板を固定するための座付きネジを示す要部拡大断面図である。
【図９】本発明の電気掃除機の他の実施の形態を示す合成樹脂製の擦り板を内蔵した吸込具本体の断面説明図である。
【図１０】図９の吸込具本体内部を下方から見た図である。
【図１１】図９の合成樹脂製の擦り板の斜視説明図である。
【図１２】図９の吸込具本体内部における擦り板のボス部付近を示す要部拡大断面図である。
【図１３】本発明の電気掃除機のさらに他の実施の形態であって、回転ブラシ用ブレーキ機構が設けられ、当該ブレーキ機構が回転ブラシを制動している状態の吸込具本体内部を下方から見た図である。
【図１４】図１３の吸込具本体の断面説明図である。
【図１５】図１３の吸込具本体内部のブレーキ機構の要部拡大斜視図である。
【図１６】図１３のブレーキ機構が制動を解除した状態の吸込具本体内部を下方から見た図である。
【図１７】図１６の吸込具本体の断面説明図である。
【図１８】図１６の吸込具本体内部のブレーキ機構の要部拡大斜視図である。
【図１９】図９のシーソー型スイッチのカバーを取り付ける途中の状態を示す断面説明図である。
【図２０】図１のダストボックスが載置される掃除機本体の仕切り板の拡大斜視図である。
【図２１】図１のダストボックスが仕切り板に載置されている部分の拡大断面図である。
【図２２】図１の電気掃除機のコードフックに電源コードが収納された状態を示す斜視説明図である。
【図２３】図１の電気掃除機のフルフラット状態を示す説明図である。
【図２４】図３の吸込具本体のケースアッパーとボトムプレートとの連結部分のうち、ベルト後方に位置する連結部分を示す断面説明図である。
【図２５】図３の吸込具本体のケースアッパーとボトムプレートとの連結部分のうち、エアインレット下方に位置する連結部分を示す断面説明図である。
【図２６】図３の吸込具本体のケースアッパーとボトムプレートとの連結部分のうち、掃除機本体に対向する縦側面に位置する連結部分を示す断面説明図である。
【符号の説明】
１  吸込具本体
２  掃除機本体
９  回転ブラシ
１１  ベルト
１６  駆動用プーリ
２０  フリープーリ
２６  擦り板
２８  シーソー型スイッチ
【図１】
2004254939.tif 000003
【図２】
2004254939.tif 000004
【図３】
2004254939.tif 000005
【図４】
2004254939.tif 000006
【図５】
2004254939.tif 000007
【図６】
2004254939.tif 000008
【図７】
2004254939.tif 000009
【図８】
2004254939.tif 000010
【図９】
2004254939.tif 000011
【図１０】
2004254939.tif 000012
【図１１】
2004254939.tif 000013
【図１２】
2004254939.tif 000014
【図１３】
2004254939.tif 000015
【図１４】
2004254939.tif 000016
【図１５】
2004254939.tif 000017
【図１６】
2004254939.tif 000018
【図１７】
2004254939.tif 000019
【図１８】
2004254939.tif 000020
【図１９】
2004254939.tif 000021
【図２０】
2004254939.tif 000022
【図２１】
2004254939.tif 000023
【図２２】
2004254939.tif 000024
【図２３】
2004254939.tif 000025
【図２４】
2004254939.tif 000026
【図２５】
2004254939.tif 000027
【図２６】
2004254939.tif 000028